(57)【要約】【課題】簡単な接続を実現できない。【解決手段】無線装置は、キャビネットと、プリント基板と、キャビネットの周縁部に配設する金属体と、プリント基板と金属体とを電気的に導通する接続部品と、を備え、接続部品は、金属体と当接する当接部と、金属体の方向に変位して当接部を金属体と当接させる弾性体とを有する。【選択図】図３
2020167547.tif 000002
【特許請求の範囲】
【請求項１】
キャビネットと、
プリントパターンを設けるプリント基板と、
前記キャビネットの周縁部に配設する金属体と、
前記プリント基板と前記金属体とを電気的に導通する接続部品と、を備え、
前記接続部品は、前記金属体と当接する当接部と、前記金属体の方向に変位して前記当接部を前記金属体と当接させる弾性体とを有する、
ことを特徴とする無線装置。
【請求項２】
前記弾性体は、少なくとも１つの屈曲部を有する板バネ材で構成される、
ことを特徴とする請求項１に記載の無線装置。
【請求項３】
前記弾性体は、前記プリント基板と電気的に導通する導通部を備える、
ことを特徴とする請求項２に記載の無線装置。
【請求項４】
前記弾性体は、前記弾性体の前記当接部が設けられていない一端から前記屈曲部までの距離と、前記弾性体の前記当接部が設けられた他端から前記屈曲部までの距離とが略等しい、
ことを特徴とする請求項２に記載の無線装置。
【請求項５】
前記キャビネットは、前記弾性体の前記当接部が設けられていない一端を規制する規制部を有する、
ことを特徴とする請求項１乃至４の何れか１項に記載の無線装置。
【請求項６】
前記接続部品は、前記弾性体を収納する筐体を備え、前記筐体は、前記板バネ材と同一の部材から形成される、
ことを特徴とする請求項２に記載の無線装置。
【請求項７】
前記弾性体は、コイルバネである、
ことを特徴とする請求項１に記載の無線装置。
【請求項８】
前記プリント基板を、前記キャビネットとで挟持する副キャビネットを備える、
ことを特徴とする請求項１乃至７の何れか１項に記載の無線装置。
【請求項９】
前記副キャビネットは、アンテナパターンを有する、
ことを特徴とする請求項８に記載の無線装置。
【発明の詳細な説明】
【技術分野】
【０００１】
本発明は、無線装置に関する。
【背景技術】
【０００２】
特許文献１には、筐体の外周に沿って設けられた導電性の枠部材と、当該枠部材をアンテナとして用いて無線通信処理を行う無線回路部と、を備えた無線機が開示されている。
【先行技術文献】
【特許文献】
【０００３】
【特許文献１】特開２０１５−１５６５３７号公報（２０１５年８月２７日公開）
【発明の概要】
【発明が解決しようとする課題】
【０００４】
しかしながら、上記特許文献１には、枠部材と無線回路部等との具体的な接続構造については開示されていない。
【０００５】
そこで、本発明は、例えば無線装置のプリント基板と無線装置のキャビネットの周縁部に配置される金属体を、簡易な構造でより確実に導通することのできる接続部品を備える無線装置を実現することを目的とする。
【課題を解決するための手段】
【０００６】
（１）本発明の一態様に係る無線装置は、キャビネットと、プリントパターンを設けるプリント基板と、前記キャビネットの周縁部に配設する金属体と、前記プリント基板と前記金属体とを電気的に導通する接続部品と、を備え、前記接続部品は、前記金属体と当接する当接部と、前記金属体の方向に変位して前記当接部を前記金属体と当接させる弾性体とを有する、ことを特徴とする。
【０００７】
（２）本発明の一態様に係る無線装置は、前記弾性体は、少なくとも１つの屈曲部を有する板バネ材で構成される、ことを特徴とする。
【０００８】
（３）本発明の一態様に係る無線装置は、前記弾性体は、前記プリント基板と電気的に導通する導通部を備える、ことを特徴とする。
【０００９】
（４）本発明の一態様に係る無線装置は、前記接続部品は、前記弾性体は、前記弾性体の前記当接部が設けられていない一端と前記屈曲部との距離と、前記弾性体の前記当接部が設けられた他端と前記屈曲部との距離とが略等しい、ことを特徴とする。
【００１０】
（５）本発明の一態様に係る無線装置は、前記キャビネットは、前記弾性体の前記当接部が設けられていない一端を規制する規制部を有する、ことを特徴とする。
【００１１】
（６）本発明の一態様に係る無線装置は、前記接続部品は、前記弾性体を収納する筐体を備え、前記筐体は、前記板バネ材と同一の部材から形成される、ことを特徴とする。
【００１２】
（７）本発明の一態様に係る無線装置は、前記弾性体は、コイルバネである、ことを特徴とする。
【００１３】
（８）本発明の一態様に係る無線装置は、前記プリント基板を、前記キャビネットとで挟持する副キャビネットを備える、ことを特徴とする。
【００１４】
（９）本発明の一態様に係る無線装置は、前記副キャビネットは、アンテナパターンを有する、ことを特徴とする。
【図面の簡単な説明】
【００１５】
【図１】本発明の実施形態１に係る無線装置を示す平面図である。
【図２】本発明の実施形態１に係る無線装置のリアパネルを外して背面側から見た平面図である。
【図３】図２のＩＩＩ−ＩＩＩ断面図である。
【図４】金属体とプリント基板を示す要部の平面図である。
【図５】図４のＶ−Ｖ断面図である。
【図６】金属体とキャビネットと接続部品を示す要部の平面図である。
【図７】図６のＶＩＩ−ＶＩＩ断面図である。
【図８】（ａ）接続部品を支持部に固定する工程１を示す要部の斜視図である。（ｂ）接続部品を支持部に固定する工程２を示す要部の斜視図である。（ｃ）接続部品を支持部に固定する工程３を示す要部の斜視図である。
【図９】キャビネットと副キャビネットとを固定する他の方法を示す要部の断面図である。
【図１０】図９のＸ−Ｘ断面図である。
【図１１】（ａ）非対称の接続部品と金属体とプリント基板の接続工程１を示す断面図である。（ｂ）非対称の接続部品と金属体とプリント基板の接続工程２を示す断面図である。（ｃ）非対称の接続部品と金属体とプリント基板の接続工程３を示す断面図である。
【図１２】（ａ）本発明の実施形態２に係る無線装置のリアパネルを外して金属体とキャビネットと接続部品とプリント基板との接続状態を示す断面図である。（ｂ）金属体とキャビネットと接続部品を示す断面図である。
【図１３】（ａ）本発明の実施形態３に係る無線装置に用いる接続部品を示す斜視部である。（ｂ）図１３（ａ）の接続部品の展開図である。
【図１４】本発明の実施形態３に係る無線装置のリアパネルを外して背面側から見た平面図である。
【図１５】図１４のＸＶ−ＸＶ断面図である。
【図１６】接続部品をプリント基板と副キャビネットで挟持する前の状態を示す断面図である。
【図１７】（ａ）接続部品の変形例１を示す断面図である。（ｂ）接続部品をプリント基板と副キャビネットで挟持する状態を示す断面図である。
【図１８】（ａ）接続部品の変形例２を示す断面図である。（ｂ）接続部品の変形例２を示す平面図である。（ｃ）接続部品の変形例２を示す正面図である。
【図１９】接続部品をプリント基板と副キャビネットで挟持する状態を示す断面図である。
【図２０】接続部品の変形例３を示す断面図である。
【図２１】接続部品をプリント基板と副キャビネットで挟持する状態を示す断面図である。
【図２２】（ａ）本発明の実施形態４に係る無線装置に用いる接続部品を示す断面部である。（ｂ）図２２（ａ）の接続部品を示す平面図である。（ｃ）図２２（ａ）の接続部品を示す正面図である。（ｄ）図２２（ａ）の接続部品を示す側面図である。
【図２３】本発明の実施形態４に係る無線装置のリアパネルを外して背面側から見た平面図である。
【図２４】図２３の一点鎖線で示す副キャビネット下のプリント基板の要部を示す平面図である。
【図２５】接続部品をプリント基板と副キャビネットで挟持する前の状態を示す断面図である。
【図２６】図２３のＸＸＶＩ−ＸＸＶＩ断面図である。
【図２７】無線装置の回路図である。
【発明を実施するための形態】
【００１６】
［実施形態１］
以下、本開示の実施形態としては、無線装置の一例としてスマートフォンに本発明を適用した場合について、図面を参照しつつ説明する。本発明はスマートフォンに限定されず、無線装置一般に適用することができる。図１は、本実施形態に係る無線装置を示す平面図である。図２は、本実施形態に係る無線装置のリアパネルを外し、背面側から見た平面図である。図３は、図２のＩＩＩ−ＩＩＩ断面図である。
【００１７】
図１に示すように、本発明の実施形態の無線装置１０１は、画像を表示する表示部１０２を有し、その背面側のリアパネルを取り外すと、図２または図３に示すように、後述するキャビネット２０１と、同キャビネット２０１の周縁部に配置する金属体２１０と、プリントパターンを設けるプリント基板２２０と、接続部品２３０と、アンテナパターン２７１を備えた副キャビネット２７０と、を備える。図中の符号２５０は、プリント基板２２０や表示部１０２等に電気を供給する電池であり、符号２６０は静止画や動画を撮影するための撮像素子である。
【００１８】
図１に示す表示部１０２は、画像を表示する表示パネルと駆動用ＩＣと操作インターフェイスのためのタッチパネルとを一体化した全体として矩形板状構造としている。例えば、表示パネルは、液晶パネルとバックライト等で構成している。或いは、自発光するＯＬＥＤ（Organic Light Emitting Diode）等のパネルで構成してもよい。
【００１９】
図２に示すように、副キャビネット２７０は、例えば、誘電体からなる平面視略長方形の板状構造としている。副キャビネット２７０の表側面には、例えば、アンテナパターン２７１が設けられており、アンテナパターン２７１の基部には電極パッド２７３ａが形成され、電極パッド２７３ａの中央には、図３に示す同パッド２７３ａの外形サイズより小さい径の挿通孔２７２が開口されている。
【００２０】
アンテナパターン２７１は、例えば、導電性を有するパターンであり、導電ペーストが印刷されてなる導電膜である。あるいは、金属メッキ（金属が蒸着された導電膜）、導電フィルム、板金等であってもよい。
【００２１】
図３または図５に示すように、副キャビネット２７０の裏側面には、表側の電極パッド２７３ａと同パッド横の挿通孔２７２を介して電気的に接続する裏側の電極パッド２７３ｂが形成されており、裏側の電極パッド２７３ｂは、接点バネ２８３を介してプリント基板２２０の凸状接続部２２１（例えば図４参照）と接続する。なお、挿通孔２７２内壁には、表裏の両電極パッド２７３ａ，２７３ｂを導通する導電膜が形成される。
【００２２】
また、副キャビネット２７０のアンテナパターン２７１は、接点バネ２８３を介してプリント基板２２０に接続される。
【００２３】
図４に示すように、プリント基板２２０は、例えば、略矩形状に構成しており、長手方向の中途部には、電気的に接続する凸状の接続部２２１が形成される。また、プリント基板２２０は、無線用ＩＣ等を実装し、凸状接続部２２１を除いてその表面部分を金属製等のシールド部２２２で覆う構成としている。図中の符号２２１ａはプリント基板を貫通し内壁に導電膜が形成される貫通孔であり、符号２２１ｂはプリント基板裏面側の接続部である。プリント基板２２０の凸状接続部２２１と裏面側の接続部２２１ｂとは貫通孔２２１ａを介して導通する。
【００２４】
プリント基板２２０の接続部２２１と副キャビネット２７０裏側の電極パッド２７３ｂとは接点バネ２８３を介して電気的に接続している。プリント基板２２０は、副キャビネット２７０上のアンテナパターン２７１（図２参照）や垂直な面にある金属体２１０に給電する。
【００２５】
プリント基板２２０は、後述するキャビネット２０１と副キャビネット２７０の間に挟持するように設けられ、副キャビネット２７０の表面上にアンテナパターン２７１を設けることにより、例えばプリント基板２２０のグランド等、アンテナ性能の劣化を招く部品から物理的な距離を確保することができるため、同一キャビネットサイズでも、より高効率なアンテナ性能を得ることができる。
【００２６】
図３および図６に示すように、キャビネット２０１は、誘電体からなる平面視略長方形の板状構造としている。キャビネット２０１の表面側には表示部１０２（例えば図１参照）を格納し、キャビネット２０１の裏面側には無線通信ＩＣ等を実装するプリント基板２２０や副キャビネット２７０や電池２５０等を格納する構成としている。
【００２７】
図６および図７に示すように、キャビネット２０１の上部には、接続部品２３０を支持する例えば略ブリッジ構造の支持部２０３が形成されている。
【００２８】
図８（ａ）に示すキャビネット２０１上には、土台となる略角柱形状の支持体２０４，２０４を所定の間隔を設けて互いに平行となるようにそれぞれ配設する。
【００２９】
図８（ｂ）に示すように、両支持体２０４，２０４の間には、両支持体２０４，２０４の長手方向の中央に略角柱形状の梁２０５を架橋可能な構造としている。
【００３０】
さらに、図８（ｃ）に示すように、キャビネット２０１上の支持体２０４，２０４間の間隙には、接続部品２３０を載置し、支持体２０４，２０４間に梁２０５を架橋する構成としている。図中符号２０４ａは、梁を固定するために両支持体にそれぞれ設けた凹部である。
【００３１】
図３に示すキャビネット２０１は、後述する接続部品２３０の弾性体２３１の当接部２４１が設けられていない一端を規制する規制部２０２を有している。弾性体２３１の当接部２４１が設けられていない一端とは、弾性体２３１の第１の山部２３２の自由端となる。キャビネット２０１の規制部２０２の先端は、プリント基板２２０の裏面に当接して、プリント基板２２０および副キャビネット２７０を支持する。
【００３２】
図２および図３に示すようにキャビネット２０１の外周縁には、金属体２１０を配設している。金属体２１０は、略水平な面に位置するキャビネット２０１に対して垂直な面に位置している。
【００３３】
金属体２１０の外形は、例えば、略長方形の枠状に形成しており、上方向および下方向の各フレーム体２１１，２１１には、２ケ所の間隙２１３，２１３が形成されている。
【００３４】
また、金属体２１０は、例えば、導電性でありかつ金属素材であり、ＳＵＳ等の素材で構成している。キャビネット２０１と副キャビネット２７０との間には無線信号を送受信する無線ＩＣ等を実装するための回路等がプリントパターンされたプリント基板２２０を配設している。
【００３５】
キャビネット２０１と副キャビネット２７０との間の略水平方向にあるプリント基板２２０と略垂直方向にある金属体２１０とは、キャビネット２０１上の略ブリッジ構造の支持部２０３に支持される接続部品２３０を介して電気的に接続されており、金属体２１０および副キャビネット２７０のアンテナパターン２７１はプリント基板２２０より給電されてアンテナとして機能する。
【００３６】
図７に示すように、接続部品２３０は、金属体２１０と当接する当接部２４１と、金属体２１０の方向に変位して当接部２４１を金属体２１０と当接させる弾性体２３１とを有する。
【００３７】
弾性体２３１は、押圧する力を受ける第１の山部２３２と、第１の山部２３２に連続する屈曲部２３４と、屈曲部２３４に連続する第２の山部２３３とを板バネ材で構成される。
【００３８】
弾性体２３１は、例えば、板状アームを略Ｖ字形状に構成して、第１の山部２３２と屈曲部２３４との間は、第１のアーム２３５で構成し、第２の山部２３３と屈曲部２３４との間は第２のアーム２３６で構成している。
【００３９】
また、第１の山部２３２の頂部から自由端は、例えば略湾曲形状に形成している。さらに、弾性体２３１は、例えば、導電材で構成している。なお、上述した通り弾性体２３１は、少なくとも１つの屈曲部２３４を有する構成であればよい。
【００４０】
弾性体２３１の先端に設ける当接部２４１は、第２の山部２３３の頂部と一体的に形成しており、例えば、略湾曲形状に形成している。また、弾性体２３１は、弾性体２３１の当接部２４１が設けられていない一端（第１の山部２３２）から屈曲部２３４までの距離と、弾性体２３１の当接部２４１が設けられた他端（第２の山部２３３）から屈曲部２３４までの距離とが略等しい。
【００４１】
接続部品２３０は、屈曲部２３４を境にして左右対称とした形状としており、屈曲部２３４から第１の山部２３２までの第１のアーム２３５の長さＬ１と屈曲部２３４から第２の山部２３３までの第２のアーム２３６の長さＬ２は同じ長さとしている。
【００４２】
接続部品では、両アームの長さを等しくすることにより、プリント基板と金属体等を接続したときにアンテナ性能への影響を少なくすることができ、かつ接続部品を支持部に配置する場合にアームの向きを考慮する必要がなくなる。
【００４３】
以下、接続部品２３０を使用して金属体２１０とプリント基板２２０と副キャビネット２７０とを接続する方法について説明する。
【００４４】
図３に示すように、キャビネット２０１と副キャビネット２７０との間にはプリント基板２２０を設けて、キャビネット２０１上の支持部２０３に接続部品２３０を載置する。
【００４５】
接続部品２３０は、プリント基板裏面とキャビネット上面との間で挟持され、プリント基板２２０により押圧される。かかる接続部品２３０は支持部２０３により支持されるため、同部品の位置ずれや浮き上がりを防止して、２つの接点の接続を良好とすることができる。
【００４６】
支持部上面より突出した接続部品２３０の第１の山部２３２の頂部と第２の山部２３３の頂部とは、プリント基板裏面にそれぞれ当接し、プリント基板２２０からの押圧力により第１の山部２３２の頂部と第２の山部２３３の頂部がプリント基板裏面を摺動しながら互いに異なる方向に移動するにつれ、第１の山部２３２と第２の山部２３３とに接続する屈曲部２３４が押し広げられる方向に徐々に弾性変形して、一方の第１の山部２３２がプリント基板裏面の接続部２２１ｂと接続し、他方の第２の山部２３３の自由端側の当接部２４１が略垂直方向に位置する金属体２１０の左のフレーム体２１２の内壁２１２ａに接続する。
【００４７】
接続部品２３０の第１の山部２３２の頂部は、上述の通り略水平方向にあるプリント基板裏面側の接続部２２１ｂと電気接続し、第１の山部２３２の頂部から自由端側は、キャビネット２０１上の支持部端部に設けた規制部２０２で規制される。すなわち、弾性体２３１は、プリント基板２２０と電気的に導通する導通部（第１の山部２３２）を備えている。かかる構成によれば、弾性体とプリント基板とを接続させる別の部材が不要となる。
【００４８】
このようにキャビネット２０１の規制部２０２では、接続部品２３０を押圧したとき接続部品２３０の第１の山部２３２の位置を制限することができ、略垂直方向にある金属体２１０と接続部品２３０との導通が確実になる。
【００４９】
接続部品２３０はプリント基板２２０と導通する。接続部品２３０は略水平方向（金属体方向）に弾性変形することにより略垂直方向にある金属体２１０と導通する。
【００５０】
また、副キャビネット２７０裏側の電極パッド２７３ｂは、接点バネ２８３を介してプリント基板２２０の接続部２２１と電気接続される。副キャビネット表裏の両電極パッド２７３ａ，２７３ｂは、挿通孔２７２の導電膜を介して電気的に接続されている。
【００５１】
このようにして略垂直方向の金属体２１０と略水平方向のプリント基板２２０とは、弾性変形した接続部品２３０により電気的に接続される。接続部品２３０の当接部２４１が垂直方向に位置する金属体２１０の左のフレーム体２１２の内壁２１２ａと当接しつつ、接続部品２３０の第１の山部２３２がプリント基板裏面側の接続部２２１ｂと当接することにより、同接続部品２３０を介して略水平方向のプリント基板２２０と略垂直方向の金属体２１０とを導通する。
【００５２】
キャビネット２０１上の支持部２０３に支持した接続部品２３０が弾性変形することにより副キャビネット２７０下のプリント基板２２０と略垂直な方向の金属体２１０とを簡易なコンパクトな構造で、かつ少数の追加部品で構成して確実に導通して電気的に接続することができる。
【００５３】
また、接続部品２３０は、押圧したのち弾性変形してももとに戻るため繰り返し使用することができる。例えば、略水平方向のプリント基板２２０から給電して垂直方向の金属体２１０をアンテナとして機能させることができる。
【００５４】
グランドは、例えばグランド層をキャビネット或いはプリント基板に設けるようにしてもよい。
【００５５】
金属体２１０がグランドに接地されている場合には、図２７に示すようにアンテナパターン２７１と金属体２１０により並列共振逆Ｆアンテナが形成されるため、広帯域なアンテナ特性を得ることができる。
【００５６】
上述した実施形態では、キャビネットの規制部先端にプリント基板を載置する構成としたが、図９または図１０に示すように、例えば、キャビネット２０１の規制部２０２に副キャビネット２７０を載置して締結具２７５で固定し、副キャビネット２７０下のプリント基板２２０を規制部２０２に貫通する構成としてもよい。副キャビネット２７０とキャビネット２０１との間に挟持するプリント基板２２０を所定の間隔で固定することができる。
【００５７】
また、接続部品２３０を介してプリント基板２２０と金属体２１０とを確実に導通し、接点バネ２８３を介してプリント基板２２０と副キャビネット２７０上のアンテナパターン２７１とを導通することができる。図中符号２２０ａは、キャビネット２０１の規制部２０２を貫通するために設けたプリント基板２２０の孔である。
【００５８】
なお、図５中の接続部品２３０は、第１のアーム２３５の長さＬ１と第２のアーム２３６の長さＬ２を同じ長さとしたが、図１１に示すように第１と第２のアームの長さを左右非対称に構成するようにしてもよい。
【００５９】
図１１（ａ）に示すように、接続部品２３０の第２のアーム２３６の長さＬ２は、第１のアーム２３５の長さＬ１よりも長く構成している。非対称アームにあわせて、キャビネット２０１上の支持部２０３の梁２０５の位置を、金属体２１０とキャビネット２０１の規制部２０２との中間位置よりも規制部２０２側に近い位置としている。
【００６０】
図１１（ｂ）に示すように、接続部品２３０の屈曲部２３４が支持部２０３の梁２０５直下に位置しており、上方よりプリント基板２２０が降下し、接続部品２３０の第２の山部２３３がプリント基板２２０裏面に当接する。接続部品２３０は、プリント基板２２０の押圧力を受けて、屈曲部２３４の位置が規制部側へ移動する。
【００６１】
図１１（ｃ）に示すように、プリント基板２２０とキャビネット２０１の間に接続部品２３０が挟持されることで、プリント基板２２０からの押圧力により第２の山部２３３の頂部が降下するにつれ、第１の山部２３２と第２の山部２３３とに接続する屈曲部２３４が規制部側に移動しつつ屈曲部２３４を押し広げるように徐々に弾性変形して、一方の第１の山部２３２がプリント基板裏面の接続部２２１ｂと接続し、他方の第２の山部２３３の自由端側の当接部２４１が略垂直方向に位置する金属体２１０の左のフレーム体２１２の内壁２１２ａに接続する。
【００６２】
接続部品２３０の第１の山部２３２の頂部は、上述の通り略水平方向にあるプリント基板裏面側の接続部２２１ｂと電気接続し、第１の山部２３２の頂部から自由端側は、キャビネット２０１上の支持部端部に設けた規制部２０２で規制される。すなわち、弾性体２３１は、プリント基板２２０と電気的に導通する導通部（第１の山部２３２）を備えている。かかる構成によれば、弾性体とプリント基板とを接続させる別の部材が不要となる。
【００６３】
このようにキャビネット２０１の規制部２０２では、接続部品２３０の位置を制限することができ、略垂直方向にある金属体２１０と接続部品２３０との導通が確実になる。
【００６４】
接続部品２３０はプリント基板２２０と導通する。接続部品２３０は略水平方向（金属体方向）に弾性変形することにより略垂直方向にある金属体２１０と導通する。
【００６５】
また、副キャビネット２７０裏側の電極パッド２７３ｂは、接点バネ２８３を介してプリント基板２２０の接続部２２１と電気接続される。副キャビネット表裏の両電極パッド２７３ａ，２７３ｂは、挿通孔２７２の導電膜を介して電気的に接続されている。
【００６６】
このようにして略垂直方向の金属体２１０と略水平方向のプリント基板２２０とは、弾性変形した接続部品２３０により電気的に接続される。接続部品２３０の当接部２４１が垂直方向に位置する金属体２１０の左のフレーム体２１２の内壁２１２ａと当接しつつ、接続部品２３０の第１の山部２３２がプリント基板裏面側の接続部２２１ｂと当接することにより、同接続部品２３０を介して略水平方向のプリント基板２２０と略垂直方向の金属体２１０とを導通する。
【００６７】
キャビネット２０１上の支持部２０３に支持した接続部品２３０が弾性変形することにより副キャビネット２７０下のプリント基板２２０と略垂直な方向の金属体２１０とを簡易なコンパクトな構造で、かつ少数の追加部品で構成して確実に導通して電気的に接続することができる。
【００６８】
また、接続部品２３０は、押圧したのち弾性変形してももとに戻るため繰り返し使用することができる。例えば、略水平方向のプリント基板２２０から給電して垂直方向の金属体２１０をアンテナとして機能させることができる。
【００６９】
［実施形態２］
本開示の実施形態２について、図１２を用いて説明する。実施形態２の無線装置は、接続部品の構造が一部異なるが、その他の構成は上述する実施形態１の無線装置と同一構造であり、同一符号を付して重複する説明を一部省略する。
【００７０】
図１２（ａ）に示すように、本発明の実施形態の無線装置６０１は、その背面側のリアパネルを取り外すと、キャビネット２０１と、プリントパターンを設けるプリント基板２２０と、副キャビネット２７０と、キャビネット２０１及び副キャビネット２７０の周縁を囲む金属体２１０と、接続部品６３０と、を備えている。
【００７１】
キャビネット２０１の上部には、後述する接続部品６３０の弾性体６３１の第１の山部６３２の自由端を固定する規制部２０２を設けている。キャビネット２０１の規制部２０２の先端は、プリント基板２２０の裏面に当接して、プリント基板２２０および副キャビネット２７０を支持する。
【００７２】
キャビネット２０１の外周縁には、金属体２１０を配設している。金属体２１０は、略水平な面に位置するキャビネット２０１に対して垂直な面に位置している。
【００７３】
金属体２１０の外形は、例えば、略長方形の枠状に形成しており、上方向および下方向の各フレーム体２１１には、２ケ所の間隙が形成されている。
【００７４】
また、金属体２１０は、例えば、導電性でありかつ金属素材であり、ＳＵＳ等の素材で構成している。キャビネット２０１と副キャビネット２７０との間には無線信号を送受信する無線ＩＣ等を実装するための回路等がプリントパターンされたプリント基板２２０を配設している。
【００７５】
キャビネット２０１と副キャビネット２７０との間の略水平な面にあるプリント基板２２０と垂直な面にある金属体２１０とは、規制部２０２に固定される接続部品６３０を介して電気的に接続されており、金属体２１０および副キャビネット２７０のアンテナパターン２７１はプリント基板２２０より給電されてアンテナとして機能する。
【００７６】
図１２（ｂ）に示すように、接続部品６３０は、金属体２１０と当接する当接部６４１と、金属体２１０の方向に変位して当接部６４１を金属体２１０と当接させる弾性体６３１とを有する。
【００７７】
弾性体６３１は、押圧する力を受ける第１の山部６３２と、第１の山部６３２に連続する屈曲部６３４と、屈曲部６３４に連続する第２の山部６３３とを板バネ材で構成される。弾性体６３１は、例えば、第１の山部６３２と屈曲部６３４との間は、第１のアーム６３５で構成し、第２の山部６３３と屈曲部６３４との間は第２のアーム６３６で構成している。
【００７８】
また、第１の山部６３２の頂部から自由端側には、基部アーム６３７が形成され、基部アーム６３７の端部には、キャビネット２０１の規制部２０２の壁面に固定するベース部６３８が形成される。さらに、弾性体６３１は、例えば、導電材で構成している。なお、ベース部６３８を規制部壁面に固定する場合は、例えば、固定用テープを用いて接着するようにしている。
【００７９】
弾性体６３１の先端に設ける当接部６４１は、第２の山部６３３の頂部から自由端と一体形成しており、例えば、略湾曲形状に形成している。
【００８０】
図１２（ｂ）に示すように、接続部品６３０は、屈曲部６３４から第２の山部６３３までの第２のアーム６３６の長さＬ２が屈曲部６３４から第１の山部６３２までの第１のアーム６３５の長さＬ１や基部アーム６３７よりも短い。
【００８１】
以下、接続部品６３０を使用して金属体２１０とプリント基板２２０と副キャビネット２７０とを接続する方法について説明する。
【００８２】
図１２（ｂ）に示すように、キャビネット２０１と副キャビネット２７０との間にはプリント基板２２０を設ける前に、キャビネット２０１上の規制部２０２の壁面に接続部品６３０のベース部６３８を固定する。かかる構成とすることで、上記実施形態における支持部が不要となり、より少ない部品で安定した接続をすることができる。接続部品６３０は、プリント基板裏面とキャビネット上面との間で挟持され、降下するプリント基板２２０により押圧される。
【００８３】
接続部品６３０の第１の山部６３２の頂部と第２の山部６３３の頂部とは、プリント基板裏面とプリント基板裏面に設けた固定部２２３にそれぞれ当接し、プリント基板２２０からの押圧力により第１の山部６３２の頂部と第２の山部６３３の頂部がプリント基板裏面を摺動しながら略水平方向に移動するにつれ、第１の山部６３２と屈曲部６３４がそれぞれ押し広げられる方向に徐々に弾性変形して、一方の第１の山部６３２がプリント基板裏面の接続部２２１ｂと接続し、他方の第２の山部６３３の自由端側の当接部６４１が略垂直方向に位置する金属体２１０の左のフレーム体２１２の内壁２１２ａに接続する。プリント基板裏面に設けた固定部２２３は、第２の山部６３３を摺動させつつ屈曲部６３４から第２の山部６３３までの高さを規制することで、弾性体を略水平方向へ延伸して、略垂直方向の金属体２１０への接続を確実に行う効果がある。
【００８４】
また、固定部２２３を設けることで第１の山部の接点から当接部の接点までの距離を短くすることができ、抵抗値を低減することができる。
【００８５】
また、キャビネット２０１の規制部２０２は、接続部品６３０の第１の山部６３２が押し広げられる際に、第１の山部６３２が規制部側へ移動することを規制し、第１の山部６３２が金属体側へ移動することができる。
【００８６】
また、プリント基板裏面の固定部２２３は第２の山部６３３の上向き方向の力を制限して、当接部６４１が金属体２１０と当接して、金属体２１０とプリント基板２２０との導通が確実になる。
【００８７】
接続部品６３０はプリント基板２２０と導通する。接続部品６３０は略水平方向（金属体方向）に弾性変形することにより略垂直方向にある金属体２１０と導通する。
【００８８】
副キャビネット２７０裏側の電極パッド２７３ｂは、接点バネ２８３を介してプリント基板２２０の接続部２２１と電気接続される。副キャビネット表裏の両電極パッド２７３ａ．２７３ｂは、挿通孔２７２の導電膜を介して電気的に接続されている。
【００８９】
このようにして略垂直方向の金属体２１０と略水平方向のプリント基板２２０とは、弾性変形した接続部品６３０等により電気的に接続される。
【００９０】
接続部品６３０の当接部６４１が垂直方向に位置する金属体２１０の左のフレーム体２１２の内壁２１２ａと当接しつつ、接続部品６３０の第１の山部６３２がプリント基板裏面側の接続部２２１ｂと当接することにより、同接続部品６３０を介してプリント基板２２０と金属体２１０とを電気接続する。
【００９１】
キャビネット２０１上の接続部品６３０が弾性変形することにより副キャビネット２７０下のプリント基板２２０と略垂直な方向の金属体２１０とを簡易なコンパクトな構造で、かつ少数の追加部品で構成して確実に導通して電気的に接続することができる。
【００９２】
また、接続部品６３０は、押圧したのち弾性変形してももとに戻るため繰り返し使用することができる。例えば、略水平方向のプリント基板２２０から給電して垂直方向の金属体２１０をアンテナとして機能させることができる。
【００９３】
グランドは、例えばグランド層をキャビネット或いはプリント基板に設けるようにしてもよい。
【００９４】
金属体２１０がグランドに接地されている場合には、接続部品２３０にかえて接続部品６３０を用い、図２７に示すようにアンテナパターン２７１と金属体２１０により並列共振逆Ｆアンテナが形成されるため、広帯域なアンテナ特性を得ることができる。
【００９５】
［実施形態３］
本開示の実施形態３について、図１３から図１６を用いて説明する。図１３（ａ）は、本発明の実施形態３に係る無線装置に用いる接続部品を示す斜視部であり、図１３（ｂ）は、図１３（ａ）の接続部品の展開図であり、図１４は、図１に示す無線装置の背面側のリアパネルを取り外した際の要部の拡大図を示す。なお、実施形態３の無線装置は、実施形態１の無線装置と同一構造であり、同一符号を付して重複する説明は一部省略する。
【００９６】
図１３（ａ）に示すように、接続部品７３０は、前後および天井の一部を開口する筐体と一体化した構成であってもよい。接続部品７３０は、図１３（ｂ）の展開図に示すように、一枚の板材を所定の形状に形成し、点線で示す部分を山折りとし、一点鎖線で示す部分を谷折りとすることにより構成することができる。
【００９７】
図１３（ａ）に示すように、接続部品７３０は、金属体２１０と当接する当接部７４１と、金属体２１０の方向に変位して当接部７４１を金属体２１０と当接させる弾性体７３１とを有する。また、接続部品７３０は、弾性体７３１を収納する筐体を備え、筐体は、板バネ材と同一の部材から形成される。
【００９８】
弾性体７３１は、押圧する力を受ける第１の山部７３２と、第１の山部７３２に連続する屈曲部７３４と、屈曲部７３４に連続する第２の山部７３３とを板バネで構成される。
【００９９】
弾性体７３１は、例えば、第１の山部７３２と屈曲部７３４との間を第１のアーム７３５で構成し、第２の山部７３３と屈曲部７３４との間を第２のアーム７３６で構成している。弾性体７３１は、例えば、導電材で構成している。
【０１００】
また、第１の山部７３２の頂部から自由端側には、基部アーム７３７が形成され、基部アーム７３７の端部は折り曲げて連続する底部７３８に接続される。底部７３８には、側壁となる側部７３９，７３９がそれぞれ立設されて、側部上端側には第２の山部７３３が当接する天井部７４０が形成される。底部７３８と、同底部７３８から連続する両側部７３９，７３９と、同両側部から連続する天井部７４０とにより筐体が形成され、筐体内には、弾性体７３１と当接部７４１を収納する構成としている。
【０１０１】
弾性体７３１の先端に設ける当接部７４１は、第２の山部７３３の頂部から自由端と一体形成しており、例えば、略湾曲形状に形成している。
【０１０２】
接続部品７３０は、屈曲部７３４から第２の山部７３３までの第２のアームの長さが屈曲部７３４から第１の山部７３２までの第１のアームの長さや基部アームの長さよりも短い。
【０１０３】
以下、接続部品７３０を使用して金属体２１０とプリント基板２２０と副キャビネット２７０とを接続する方法について説明する。なお、接続部品は、副キャビネットとキャビネット上に配したプリント基板とにより挟持される。
【０１０４】
図１４および図１５に示すように、本発明の実施形態の無線装置７０１は、その背面側のリアパネルを取り外すと、キャビネット２０１と、キャビネット２０１上に載置したプリントパターンを設けるプリント基板２２０と、副キャビネット２７０と、キャビネット２０１及び副キャビネット２７０の周縁を囲む金属体２１０と、接続部品７３０と、を備えている。
【０１０５】
図１６に示すように、キャビネット２０１と副キャビネット２７０との間にはプリント基板２２０を設ける。キャビネット２０１上のプリント基板上の接続部２２１に接続部品７３０を固定する。接続部品７３０は、プリント基板上面と副キャビネット下面との間で挟持され、副キャビネット２７０により押圧される。
【０１０６】
図１５に示すように、接続部品７３０の第１の山部７３２の頂部は、副キャビネット２７０裏面に当接し、第２の山部７３３の頂部は天井部７４０に当接し、副キャビネット２７０からの押圧力により第１の山部７３２の頂部と第２の山部７３３の頂部が副キャビネット裏面あるいは天井部７４０を摺動しながら略水平方向に移動するにつれ、第１の山部７３２と屈曲部７３４がそれぞれ押し広げられる方向に徐々に弾性変形して、一方の第１の山部７３２が副キャビネット裏面の電極パッド２７３ｂと接続し、他方の第２の山部７３２の自由端側の当接部７４１が略垂直方向に位置する金属体２１０の左のフレーム体２１２の内壁２１２ａに接続する。
【０１０７】
接続部品７３０のべース部７３８は、上述の通りプリント基板上の凸状の接続部２２１と電気接続する。
【０１０８】
接続部品７３０は略水平方向（金属体方向）に弾性変形することにより略垂直方向にある金属体２１０と導通する。
【０１０９】
副キャビネット表裏の両電極パッド２７３ａ，２７３ｂは、挿通孔２７２の導電膜を介して電気的に接続されている。
【０１１０】
このようにして略垂直方向の金属体２１０と略水平方向のプリント基板２２０とは、弾性変形した接続部品７３０等により電気的に接続される。
【０１１１】
接続部品７３０の当接部７４１が垂直方向に位置する金属体２１０の左のフレーム体２１２の内壁２１２ａと当接しつつ、接続部品７３０の第１の山部７３２が副キャビネット裏面側の電極パッド２７３ｂと当接することにより、同接続部品７３０を介して副キャビネット２７０のアンテナパターン２７１とプリント基板２２０と金属体２１０とを導通する。
【０１１２】
接続部品７３０が弾性変形することにより副キャビネット２７０下のプリント基板２２０と略垂直な方向の金属体２１０とを簡易なコンパクトな構造で、かつ少数の追加部品で構成して確実に導通して電気的に接続することができる。
【０１１３】
また、接続部品７３０は、押圧したのち弾性変形してももとに戻るため繰り返し使用することができる。例えば、略水平方向のプリント基板２２０から給電して垂直方向の金属体２１０をアンテナとして機能させることができる。
【０１１４】
かかる接続部品７３０は、第２の山部が摺動する天井部７４０を設けることにより、第１の山部７３２の接点から当接部７４１の接点までの距離を短くできるため抵抗値を低減することができる。
【０１１５】
また、天井部７４０、両側部７３９，７３９を設けること弾性体７３１の破損を低減することができる。弾性体７３１の第１の山部７３２の自由端部側を底部７３８に接続するため、キャビネットに設ける規制部が不要となり、位置合わせが容易となる。
【０１１６】
グランドは、例えばグランド層をキャビネット或いはプリント基板に設けるようにしてもよい。
【０１１７】
金属体２１０がグランドに接地されている場合には、接続部品２３０にかえて接続部品７３０を用い、図２７に示すようにアンテナパターン２７１と金属体２１０により並列共振逆Ｆアンテナが形成されるため、広帯域なアンテナ特性を得ることができる。
【０１１８】
図１７〜図２１には、接続部品の変形例を示す。
【０１１９】
図１７（ａ）に示す接続部品８３０は、前方と上方の一部を開口する略箱型形状の筐体８３０−１に板バネ素材の弾性体８３１を収納して、弾性体８３１の第１の山部８３２と筐体８３０−１の上部開口部８３０−２より突出させて、第２の山部８３３の先端に設ける当接部８４１を筐体８３０−１の前部開口部８３０−３より突出自在とする構成としている。第１の山部８３２の自由端側のべース部８３８は、筐体後部８３０−１ｂの内壁に固定される。
【０１２０】
なお、筐体８３０−１の底部８３０−１ｄには、裏面に電気的な導通可能が可能となる足部８３０−１ｅが形成され、各足部８３０−１ｅは、プリント基板上の接続部２２１と電気的に接続する。図中の符号８３０−１ａは筐体を構成する前部であり、符号８３０−１ｃは筐体を構成する天井部である。また、符号８３５は第１のアームであり、符号８３６は第２のアームであり、８３７は基部アームである。
【０１２１】
図１７（ｂ）に示すように、キャビネット２０１と副キャビネット２７０との間にはプリント基板２２０を設ける。キャビネット２０１上のプリント基板上の接続部２２１に接続部品８３０を固定する。接続部品８３０は、プリント基板上面と副キャビネット下面との間で挟持され、副キャビネット２７０により押圧される。
【０１２２】
接続部品８３０の第１の山部８３２の頂部は、副キャビネット２７０裏面に当接し、副キャビネット２７０からの押圧力により第１の山部８３２の頂部が副キャビネット裏面を摺動しながら略水平方向に移動するにつれ、第１の山部８３２が押し広げられる方向に徐々に弾性変形して、一方の第１の山部８３２（導通部）が副キャビネット裏面の電極パッド２７３ｂと接続し、他方の第２の山部８３２の自由端側の当接部８４１が略垂直方向に位置する金属体２１０の左のフレーム体２１２の内壁２１２ａに接続する。
【０１２３】
接続部品８３０のべース部８３８は、筐体８３０−１の各足部８３０−１ｅを介してプリント基板上の凸状の接続部２２１と電気接続する。
【０１２４】
接続部品８３０は略水平方向（金属体方向）に弾性変形することにより略垂直方向にある金属体２１０と導通する。
【０１２５】
このようにして略垂直方向の金属体２１０と略水平方向のプリント基板２２０とは、弾性変形した接続部品８３０等により電気的に接続される。
【０１２６】
接続部品８３０は、当接部８４１が垂直方向に位置する金属体２１０の左のフレーム体２１２の内壁２１２ａと当接しつつ、接続部品８３０の第１の山部８３２が副キャビネット裏面側の電極パッド２７３ｂと接続することにより、同接続部品８３０を介して副キャビネット２７０のアンテナパターン２７１とプリント基板２２０と金属体２１０とを導通する。
【０１２７】
接続部品８３０が弾性変形することにより副キャビネット２７０下の略水平方向のプリント基板２２０と略垂直な方向の金属体２１０とを簡易なコンパクトな構造で、かつ少数の追加部品で構成して確実に導通して電気的に接続することができる。
【０１２８】
また、接続部品８３０は、押圧したのち弾性変形してももとに戻るため繰り返し使用することができる。例えば、略水平方向のプリント基板２２０から給電して垂直方向の金属体２１０をアンテナとして機能させることができる。
【０１２９】
また、筐体８３０−１を有することにより弾性体８３１の破損を低減することができる。弾性体８３１の第１の山部８３２の自由端部側のベース部８３８を筐体内の後部８３０−１ｂに固定するため、キャビネットに設ける規制部が不要となり、位置合わせが容易となる。
【０１３０】
金属体２１０がグランドに接地されている場合には、接続部品２３０にかえて接続部品８３０を用い、図２７に示すようにアンテナパターン２７１と金属体２１０により並列共振逆Ｆアンテナが形成されるため、広帯域なアンテナ特性を得ることができる。
【０１３１】
上述した図１５に示す接続部品７３０では、一度伸長した弾性体７３１が元の状態に戻る際に、弾性体７３１の先端の当接部７４１や第２の山部７３３が天井部７４０に引っ掛かり元の状態に戻らなくなることも考えられる。そこで、図１８の接続部品９３０では、伸長した弾性体９３１をスムーズに元の状態に戻すために弾性体９３１の第２の山部９３３と当接部９４１との間にプレート９４２を介在させる構成としている。
【０１３２】
接続部品９３０は、前方と上方の一部を開口した略箱形状の筐体９３０−１に板バネ材の弾性体９３１を収納して、弾性体９３１の第１の山部９３２を筐体９３０−１の上部開口部９３０−２より突出させて、第２の山部９３３の端部のプレート９４２を介して略砲弾形状の当接部９４１を筐体９３０−１の前方開口部９３０−３より突出自在とする構成としている。
【０１３３】
接続部品９３０の第１の山部９３２の頂部から自由端側には、基部アーム９３５が形成され、基部アーム９３７の端部には、筐体内の壁部に固定するためのベース部９３８が形成される。図中の符号９３５は第１のアームであり、符号９３６は第２のアームであり、符号９３０−１ａは筐体前方の前方開口部９３０−３を設ける前部であり、符号９３０−１ｃは筐体上方の上方開口部９３０−２を設ける天井部であり、符号９３０−１ｅは筐体９３０−１の底部９３０−１ｄに設ける足部である。
【０１３４】
図１９に示すように、キャビネット２０１と副キャビネット２７０との間にはプリント基板２２０を設ける。キャビネット２０１上のプリント基板上に接続部品９３０を固定する。接続部品９３０は、プリント基板上面と副キャビネット下面との間で挟持され、副キャビネット２７０により押圧される。
【０１３５】
接続部品９３０の第１の山部９３２の頂部は、副キャビネット２７０裏面に当接し、副キャビネット２７０からの押圧力により第１の山部９３２の頂部が副キャビネット裏面を摺動しながら略水平方向に移動するにつれ、第１の山部９３２が押し広げられる方向に徐々に弾性変形して、第２の山部９３３がプレートを介して当接部９４１を筐体外へ真っすぐ押し出し、筐体９３０−１の前方開口部９３０−３から突出した当接部９４１が略垂直方向に位置する金属体２１０の左のフレーム体２１２の内壁２１２ａに接続する。第１の山部９３２（導通部）が副キャビネット裏面の電極パッド２７３ｂと接続する。
【０１３６】
接続部品９３０のベース部９３８は、筐体９３０−１の足部９３０−１ｅを介してプリント基板上の凸状の接続部２２１と電気接続する。
【０１３７】
接続部品９３０は略水平方向（金属体方向）に弾性変形することにより略垂直方向にある金属体２１０と導通する。
【０１３８】
このようにして略垂直方向の金属体２１０と略水平方向のプリント基板２２０とは、弾性変形した接続部品９３０等により電気的に接続される。
【０１３９】
接続部品９３０は、筐体９３０−１の前方開口部９３０−３から突出する当接部９４１が垂直方向に位置する金属体２１０の左のフレーム体２１２の内壁２１２ａと当接しつつ、接続部品９３０の第１の山部９３２が副キャビネット裏面側の電極パッド２７３ｂと接続することにより、同接続部品９３０を介して副キャビネット２７０のアンテナパターン２７１とプリント基板２２０と金属体２１０とを導通する。
【０１４０】
接続部品９３０が弾性変形することにより副キャビネット２７０下の略水平方向のプリント基板２２０と略垂直な方向の金属体２１０とを簡易なコンパクトな構造で、かつ少数の追加部品で構成して確実に導通して電気的に接続することができる。また、接続部品９３０は、押圧したのち弾性変形してももとに戻るため繰り返し使用することができる。
【０１４１】
また、当接部９４１と第２の山部９３３との間にプレート９４２を介在することで、当接部９４１が突出する際や没入する際に、弾性体９３１の伸縮を直線運動してスムーズに行うことができる。例えば、略水平方向のプリント基板２２０から給電して垂直方向の金属体２１０をアンテナとして機能させることができる。
【０１４２】
筐体９３０−１を有することにより弾性体９３１の破損を低減することができる。弾性体９３１の第１の山部９３２の自由端部側のベース部９３８を筐体内の後部９３０−１ｂに固定するため、キャビネットに設ける規制部が不要となり、位置合わせが容易となる。
【０１４３】
金属体２１０がグランドに接地されている場合には、接続部品２３０にかえて接続部品９３０を用い、図２７に示すようにアンテナパターン２７１と金属体２１０により並列共振逆Ｆアンテナが形成されるため、広帯域なアンテナ特性を得ることができる。
【０１４４】
図２０に示す接続部品１０３０は、略砲弾形状の当接部１０４１の周縁にコイルバネ１０４３を設ける構成としている。弾性体１０３１の第２の山部１０３３の端部には、プレート１０４２を固定しており、プレート１０４２の反対側の面には、当接部１０４１が固定され、その周縁にコイルバネ１０４３を挿通し、コイルバネ１０４３の端部が固定される。
【０１４５】
副キャビネット２７０とプリント基板２２０との間で挟持される接続部品１０３０は、第１の山部１０３２が押圧力から解放されると、筐体前部とプレート１０４２間のコイルバネ１０４３の付勢力が解放され、当接部１０４１は前方開口部１０３０−３から筐体内に没入し元の状態となる。この弾性体１０３１の第１の山部１０３２とコイルバネ１０４３との相互の弾性力の作用により、弾性体１０３１の伸縮を安定的に行うことができる。
【０１４６】
図２１に示すように、キャビネット２０１と副キャビネット２７０との間にはプリント基板２２０を設ける。キャビネット２０１上のプリント基板上に接続部品１０３０を固定する。接続部品１０３０は、プリント基板上面と副キャビネット下面との間で挟持され、副キャビネット２７０により押圧される。
【０１４７】
接続部品１０３０の第１の山部１０３２の頂部は、副キャビネット２７０裏面に当接し、副キャビネット２７０からの押圧力により第１の山部１０３２の頂部が副キャビネット裏面を摺動しながら略水平方向に移動するにつれ、第１の山部１０３２が押し広げられる方向に徐々に弾性変形して、第２の山部１０３３がプレート１０４２を介してコイルバネ１９４３を付勢しながら当接部１０４１を筐体外へ押し出し、筐体１０３０−１の前方開口部１０３０−３から突出した当接部１０４１が略垂直方向に位置する金属体２１０の左のフレーム体２１２の内壁２１２ａに接続する。第１の山部１０３２（導通部）が副キャビネット裏面の電極パッド２７３ｂと接続する。
【０１４８】
接続部品１０３０は、筐体１０３０−１の足部１０３０−１ｅを介してプリント基板上の凸状の接続部２２１と電気接続する。
【０１４９】
接続部品１０３０は略水平方向（金属体方向）に弾性変形することにより略垂直方向にある金属体２１０と導通する。
【０１５０】
このようにして略垂直方向の金属体２１０と略水平方向のプリント基板２２０とは、弾性変形した接続部品１０３０等により電気的に接続される。
【０１５１】
接続部品１０３０は、筐体１０３０−１の前方開口部１０３０−３から突出する当接部１０４１が垂直方向に位置する金属体２１０の左のフレーム体２１２の内壁２１２ａと当接しつつ、接続部品１０３０の第１の山部１０３２が副キャビネット裏面側の電極パッド２７３ｂと接続することにより、同接続部品１０３０を介して副キャビネット２７０のアンテナパターン２７１とプリント基板２２０と金属体２１０とを電気接続する。
【０１５２】
接続部品１０３０が弾性変形することにより副キャビネット２７０下の略水平方向のプリント基板２２０と略垂直な方向の金属体２１０とを簡易なコンパクトな構造で、かつ少数の追加部品で構成して確実に導通して電気的に接続することができる。また、接続部品１０３０は、押圧したのち弾性変形してももとに戻るため繰り返し使用することができる。
【０１５３】
また、当接部１０４１と第２の山部１０３３との間にプレート１０４２を介在し、プレート１０４２の反対側にコイルバネ１０４３を設けることで、当接部１０４１が突出する際や没入する際に、弾性体１０３１の伸縮をよりスムーズに行うことができる。例えば、略水平方向のプリント基板２２０から給電して垂直方向の金属体２１０をアンテナとして機能させることができる。
【０１５４】
また、接続部品は、筐体１０３０−１を有することにより弾性体１０３１の破損を低減することができる。弾性体１０３１の第１の山部１０３２の自由端部側のベース部１０３８を筐体内の後部１０３０−１ｂに固定するため、キャビネットに設ける規制部が不要となり、位置合わせが容易となる。
【０１５５】
金属体２１０がグランドに接地されている場合には、接続部品２３０にかえて接続部品１０３０を用い、図２７に示すようにアンテナパターン２７１と金属体２１０により並列共振逆Ｆアンテナが形成されるため、広帯域なアンテナ特性を得ることができる。
【０１５６】
［実施形態４］
本開示の実施形態４について、図２２から図２６を用いて説明する。図２２は、本発明の実施形態４に係る無線装置に用いる接続部品を示す図であり、図２３は、図１に示す無線装置の背面側のリアパネルを取り外した際の要部の拡大図を示す。なお、実施形態４の無線装置は、実施形態１の無線装置と同一構造であり、同一符号を付して重複する説明は一部省略する。
【０１５７】
接続部品１１３０は、金属体２１０と当接する当接部１１４１と、金属体２１０の方向に変位して当接部１１４１を金属体２１０と当接させる弾性体１１３１とを有する。
【０１５８】
すなわち、接続部品１１３０は、前方と上方の一部を開口する略箱型形状の筐体１１３０−１と、例えば、コイルバネで構成する弾性体１１３１の先端に略砲弾形状の当接部１１４１とを備えている。当接部基部１１４１ａは、例えば略円形状に形成されている。当接部基部１１４１ａが筐体１１３０−１の略垂直方向に開口する上部開口部１１３０−２の縁部に引っ掛かることで、付勢した弾性体１１３１の保持状態を保つこととなる。
【０１５９】
筐体１１３０−１の前部１１３０−１ａには、当接部１１４１を突出させるための前部開口部１１３０−３を開口している。弾性体１１３１の端部は、筐体後部１１３０−１ｂの内壁に固定される。
【０１６０】
なお、筐体１１３０−１の底部１１３０−１ｄには、裏面に電気的な導通可能が可能となる足部１１３０−１ｅが形成され、各足部１１３０−１ｅは、プリント基板上の接続部２２１と電気的に接続する。図中の符号１１３０−１ａは筐体を構成する前部であり、符号１１３０−１ｃは筐体を構成する天井部であり、符号１１３０−３は筐体の略水平方向に開口する前部開口部である。
【０１６１】
図２３に示す無線装置の副キャビネット２７０を取り外すと、図２４に示すように、キャビネット上のプリント基板２２０の凸状接続部２２１には、接続部品１１３０と接点バネ２８３を固定して導通している。
【０１６２】
図２５に示すように、接続部品１１３０は、プリント基板上面と副キャビネット下面との間で挟持され、副キャビネット裏面の突起部２７４により押圧される。突起部２７４は弾性体１１３１の付勢力を開放するトリガーとして機能する。
【０１６３】
筐体１１３０−１の上部開口部１１３０−２の縁部に引っ掛かっている当接部基部１１４１ａを副キャビネット裏面の突起部２７４により筐体内に押し込むと、コイルバネの弾性体１１３１の付勢力が解除されて、弾性体１１３１が伸長することにより当接部１１４１が略水平方向に移動し、当接部１１４１を筐体外へ押し出し、筐体１１３０−１の前方開口部１１３０−３から突出した当接部１１４１が略垂直方向に位置する金属体２１０の左のフレーム体２１２の内壁２１２ａに接続する。第１の山部１０３２が副キャビネット裏面の電極パッド２７３ｂと接続する。
【０１６４】
接続部品１１３０の底部１１３０−１ｄは、筐体１１３０−１の各足部１１３０−１ｅを介してプリント基板上の凸状の接続部２２１と電気接続する。
【０１６５】
接続部品１１３０は略水平方向（金属体方向）に弾性変形することにより略垂直方向にある金属体２１０と導通する。
【０１６６】
このようにして略垂直方向の金属体２１０と略水平方向のプリント基板２２０とは、弾性変形した接続部品１１３０等により電気的に接続される。
【０１６７】
接続部品１１３０は、当接部１１４１が垂直方向に位置する金属体２１０の左のフレーム体２１２の内壁２１２ａと当接することによりプリント基板２２０と金属体２１０とを電気接続して導通する。
【０１６８】
また、接点バネ２８３は、プリント基板２２０と副キャビネット裏面側の電極パッド２７３ｂと接続することにより、副キャビネット２７０のアンテナパターン２７１とを電気接続して導通する。
【０１６９】
接続部品１１３０が弾性変形することにより副キャビネット２７０下の略水平方向のプリント基板２２０と略垂直な方向の金属体２１０とを簡易なコンパクトな構造で、かつ少数の追加部品で構成して確実に導通して電気的に接続することができる。
【０１７０】
また、接続部品１１３０は、押圧したのち弾性変形してももとに戻るため繰り返し使用することができる。例えば、略水平方向のプリント基板２２０から給電して垂直方向の金属体２１０をアンテナとして機能させることができる。
【０１７１】
また、筐体１１３０−１を有することにより弾性体１０３１の破損を低減することができる。弾性体１０３１を筐体内に固定するため、キャビネットに設ける規制部が不要となり、位置合わせが容易となる。
【０１７２】
金属体２１０がグランドに接地されている場合には、接続部品２３０にかえて接続部品１１３０を用い、図２７に示すようにアンテナパターン２７１と金属体２１０により並列共振逆Ｆアンテナが形成されるため、広帯域なアンテナ特性を得ることができる。
【０１７３】
なお、副キャビネット裏面に突起部を設けたが、突起部を副キャビネット裏面からのぞいてもよい。接続部品の当接部基部が筐体開口部縁部に引っ掛かった状態を解除する際は、例えば、事前にピンセット等で解除するようにしてもよい。
【０１７４】
なお、上述した接続部品７３０，８３０，９３０，１０３０は副キャビネット２７０裏面側の接続部２７３ｂに導通する構成としたが、図２４に示すように副キャビネットとプリント基板とは別途、接点バネで導通し、接続部品はプリント基板と金属体とを導通するように構成してもよい。
【０１７５】
金属体は、一例として枠形状の構造を用いて説明したが、金属体の構造は枠形状に限定するものではなく、その他、電子機器等の充電端子を構成するさまざまな形状の金属部品やアンテナエレメントとして機能するさまざまな形状の金属部品も含まれる。キャビネットに対して垂直な面にある金属部品を含む金属体を上述した弾性変形する接続部品で電気的に接続することができる。
【０１７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１７７】
１０１  無線装置
１０２  表示部
２０１  キャビネット
２０２  規制部
２０３  支持部
２０４  支持体
２０４ａ  凹部
２０５  梁
２１０  金属体
２１１  上下フレーム体
２１２  左右フレーム体
２１２ａ  内壁
２１３  間隙
２２０  プリント基板
２２０ａ  孔
２２１  凸状接続部
２２１ａ  貫通孔
２２１ｂ  接続部
２２２  シールド部
２２３  固定部
２３０  接続部品
２３１  弾性体
２３２  第１の山部
２３３  第２の山部
２３４  屈曲部
２３５  第１のアーム
２３６  第２のアーム
２４１  当接部
２５０  電池
２６０  撮像素子
２７０  副キャビネット
２７１  アンテナパターン
２７２  挿通孔
２７３ａ  表側電極パッド
２７３ｂ  裏側電極パッド
２７４  突起部
２７５  締結具
２８３  接点バネ
【図１】
2020167547.tif 000003
【図２】
2020167547.tif 000004
【図３】
2020167547.tif 000005
【図４】
2020167547.tif 000006
【図５】
2020167547.tif 000007
【図６】
2020167547.tif 000008
【図７】
2020167547.tif 000009
【図８】
2020167547.tif 000010
【図９】
2020167547.tif 000011
【図１０】
2020167547.tif 000012
【図１１】
2020167547.tif 000013
【図１２】
2020167547.tif 000014
【図１３】
2020167547.tif 000015
【図１４】
2020167547.tif 000016
【図１５】
2020167547.tif 000017
【図１６】
2020167547.tif 000018
【図１７】
2020167547.tif 000019
【図１８】
2020167547.tif 000020
【図１９】
2020167547.tif 000021
【図２０】
2020167547.tif 000022
【図２１】
2020167547.tif 000023
【図２２】
2020167547.tif 000024
【図２３】
2020167547.tif 000025
【図２４】
2020167547.tif 000026
【図２５】
2020167547.tif 000027
【図２６】
2020167547.tif 000028
【図２７】
2020167547.tif 000029